(57)【特許請求の範囲】
【請求項１】
撮像レンズとカメラ装置の間に着脱自在に装着されるアダプタ光学系であって、
該アダプタ光学系は、物体側より順に、負の屈折力を有する第１群と、光路中に挿抜可能な第２群と、正の屈折力を有する第３群と、から成り、
光路中に挿入された該第２群へ入射する軸上光線の入射傾角を、該アダプタ光学系の最も像面側の面から出射する近軸軸上光線の出射傾角を１として規格化した入射換算傾角αａ２とするとき、
０．０３＜｜αａ２｜＜０．５０
を満たし、
前記第１群のパワーをφａ１、前記第３群のパワーをφａ３とするとき、
１．０５＜｜φａ１／φａ３｜＜１．３５
を満たすことを特徴とするアダプタ光学系。
【請求項２】
前記アダプタ光学系の全系の結像倍率をβａとするとき、
１．０５＜βａ＜１．５０
を満たすことを特徴とする請求項１に記載のアダプタ光学系。
【請求項３】
前記第１群のパワーをφａ１、前記第２群のパワーをφａ２とするとき、
｜φａ１／φａ２｜＞１００
を満たすことを特徴とする請求項１に記載のアダプタ光学系。
【請求項４】
前記アダプタ光学系は、前記撮像レンズ又は前記撮像装置から、撮影条件について規定した撮影条件情報を受け取り、該撮影条件情報に応じて光学性能を変化させることができる光学性能変換素子を有すること、を特徴とする請求項１乃至３のいずれか１項に記載のアダプタ光学系。
【請求項５】
前記第１群は、正レンズと負レンズを備える第１接合レンズを備え、
前記第１接合レンズの前記負レンズの前記カメラ装置側の面は凹面である、
ことを特徴とする請求項１乃至４のいずれか１項に記載のアダプタ光学系。
【請求項６】
前記第３群は、正レンズと負レンズを備える第２接合レンズを備え、
前記第２接合レンズの前記負レンズの前記レンズ装置側の面は凹面である、
ことを特徴とする請求項１乃至５のいずれか１項に記載のアダプタ光学系。
【請求項７】
前記第３群は、正レンズと負レンズを備える第２接合レンズを備え、
前記第２接合レンズの前記正レンズは両凸レンズである、
ことを特徴とする請求項１乃至６のいずれか１項に記載のアダプタ光学系。
【請求項８】
撮像レンズ、カメラ光学系、及び、前記撮像レンズと前記カメラ光学系の間に装着された、請求項１乃至７のいずれか１項に記載のアダプタ光学系からなることを特徴とする撮像装置。
【発明の詳細な説明】
【技術分野】
【０００１】
本発明は、テレビカメラ、デジタルスチルカメラ、ビデオカメラなどに用いられる撮像レンズの像側に着脱可能に装着し、光路中に挿抜可能な光学素子を有するアダプタ光学系及びそれを有する撮像装置に関する。
【背景技術】
【０００２】
従来、光路中に配置することで、光学性能を変化させることが可能な光学性能変換素子（以下、単に「光学素子」ともいう）が多く知られている。例えば、減光フィルタや色温度変換フィルタ等である。このような光学性能変換素子は、光学性能を変化させる必要がない場面では不要であるため、光路から抜去されている必要がある。光学素子を光路に対して挿抜する場合、素子の厚みが原因となり結像位置が挿抜により変化し、映像がボケた映像となってしまうため使用上問題となる。これに対し、光学素子を挿抜したときの結像位置の変化を抑制する技術が提案されている。例えば、特許文献１では光学素子挿入時の結像位置変化を補正するために、挿入する光学素子に屈折力を付加する発明が開示されている。撮像レンズと結像面の間、および撮像レンズのレンズ系中に平行平板の光学素子を挿入すると結像位置がオーバー側（すなわち物体側と逆側）にシフトする。特許文献１では、その結像位置の移動をキャンセルするように挿入する光学素子に正の屈折力を付与している。特許文献２は、複数のフィルタの切り替えによる結像位置の変化を、撮像素子を光軸方向に駆動することでキャンセルすることを開示している。
【先行技術文献】
【特許文献】
【０００３】
【特許文献１】特開昭６３−２５６１２号公報
【特許文献２】特許第０３８６１２４１号公報
【発明の概要】
【発明が解決しようとする課題】
【０００４】
しかしながら、上述の特許文献に開示された従来技術では、光学素子の挿抜により収差の変化が発生してしまう。例えば、特許文献１のように挿入する光学素子に屈折力を付与して結像位置のシフトをキャンセルさせると、光学素子挿入時にアンダー側の球面収差が発生する。特許文献１のように結像位置のシフトをキャンセルさせた場合の球面収差の模式図を図９に示す。図９において、一点鎖線９０２は光学素子を光路中に挿入していない場合の収差、鎖線９０１は光学素子を光路中に挿入している場合の収差、９０７は撮像面位置を示す。図９のように、得られる画像の品質が悪化することに加え、球面収差が９０２の状態から９０１の状態に変化することで、軸上光束のスポットダイアグラムにおけるスポット径の平均二乗偏差（ＲＭＳ）が最小となる位置として表すことができるベストフォーカス位置（９０３、９０４）が焦点深度（９０５、９０６の範囲）を超えると、光学素子の挿抜による画像への影響が顕著になり、得られる画像は大きく変化してしまう。
【０００５】
さらに、既存の製品に光学性能変換素子を挿抜する機能を追加する場合は、できるだけ簡便に短時間に光学性能変換素子の挿抜ができることが望ましい。しかし、上述の特許文献１の技術では、撮像レンズと撮像面にスペースを設けるため、撮像レンズそのものの設計を見直す必要がある。また、特許文献２の技術でも、撮像素子を駆動する機構を新たに設ける必要がある。
【０００６】
本発明の目的は、厚みを持つ光学素子の挿抜による結像位置の変化が抑えられ、光路中に挿抜可能な光学素子を有するアダプタ光学系及びそれを有する撮像装置を提供することである。
【課題を解決するための手段】
【０００７】
上記目的を達成するために、本発明は、撮像レンズとカメラ装置の間に着脱自在に装着されるアダプタ光学系であって、該アダプタ光学系は、物体側より順に、負の屈折力を有する第１群と、光路中に挿抜可能な第２群と、正の屈折力を有する第３群と、から成り、光路中に挿入された該第２群へ入射する軸上光線の入射傾角を、該アダプタ光学系の最も像面側の面から出射する近軸軸上光線の出射傾角を１として規格化した入射換算傾角αａ２とするとき、０．０３＜｜αａ２｜＜０．５０を満たし、前記第１群のパワーをφａ１、前記第３群のパワーをφａ３とするとき、１．０５＜｜φａ１／φａ３｜＜１．３５を満たすことを特徴とする。
【発明の効果】
【０００８】
本発明によれば、厚みを持つ光学素子の挿抜による結像位置の変化が抑えられ、光路中に挿抜可能な光学素子を有するアダプタ光学系及びそれを有する撮像装置を提供することができる。
【図面の簡単な説明】
【０００９】
【図１】本発明の概略図。
【図２】実施例１のアダプタ光学系を有するズームレンズの光学断面図。
【図３】実施例１のアダプタ光学系を有するズームレンズの広角端における縦収差図。
【図４】実施例１のアダプタ光学系を有するズームレンズの広角端における縦収差図、（Ａ）光学素子挿入時、（Ｂ）光学素子抜去時。
【図５】実施例２のアダプタ光学系を有するズームレンズの光学断面図。
【図６】実施例２のアダプタ光学系を有するズームレンズの広角端における縦収差図、（Ａ）光学素子挿入時、（Ｂ）光学素子抜去時。
【図７】実施例２の光学素子にパワーを付加しない場合の収差図。
【図８】光路中に平行平板を挿抜する場合の光線の通り方の模式図、（ａ）平行平板抜去時、（ｂ）平行平板挿入時。
【図９】従来例における縦収差の模式図。
【発明を実施するための形態】
【００１０】
以下に、本発明の好ましい実施の形態を、添付の図面に基づいて詳細に説明する。
【００１１】
図１は、本発明の実施形態にかかわる光学系構成の概略図である。１０１は撮像レンズ、１０５はアダプタ光学系である。アダプタ光学系１０５は、一つ又は複数のレンズからなり負の屈折力を有する第１群１０２、挿抜可能な光学素子からなる第２群１０３であって減光フィルタ、色温度変換フィルタ、クロススクリーンフィルタといった光学性能変換素子、一つ又は複数のレンズからなり正の屈折力を有する第３群１０４を含む。本発明においては、第１群１０２から出射する軸上光線の換算傾角を適切な大きさに設定することで、挿抜する光学素子１０３が厚みを有する場合でも、挿抜による結像位置の変化を抑制している。なお、軸上光線及び近軸軸上光線とは、近軸結像点を通る軸上光線のことを意味している。
【００１２】
ここで、図８を用いて光路中に厚さｄの光学素子を挿抜する場合の結像位置の変化に関して、簡単のため光学素子を平行平板として説明を行う。図８(ａ)は、平行平板が光路中から抜去された状態での光線８０１の光路を示している。８０２は正の第３群、８０３は撮像面を示している。図８(ａ)のように、平行平板が光路中から抜去された状態で結像位置と撮像面は一致している。次に図８(ｂ)は、平行平板が光路中に挿入された状態での光線８０４の光路を示している。図８(ｂ)のように、光路中に平行平板が挿入されていると、屈折が生じるために光線８０４は光線８０１とは異なる光線高さで図中８０６を通過する。
【００１３】
ここで、平行平板８０５に入射する光線の入射角をｕ１とし、平行平板８０５に入射する光線の屈折角をｕ２とし、平行平板を構成する材料の屈折率をＮとすると、入射角ｕ１と屈折角ｕ２の関係は近軸理論より下記式(ａ)で表わされる。
ｕ２＝ｕ１／Ｎ・・・(ａ)
【００１４】
図８(ａ)、(ｂ)に示すように、光線が平行平板を通過する場合に、光線が平行平板の像側面８０６を通る光線高さをｈ２、光線が平行平板を通らない場合の同じ位置での光線高さをｈ１とすると、射出位置での光線の光線高さの変化は下記(ｂ)式で表わされる。
ｈ２−ｈ１＝ｄ×ｕ１×(１−１／Ｎ)・・・(ｂ)
【００１５】
上記(ｂ)式のように、平行平板の挿抜によって平行平板から射出する光線の光線高さに変化が生じることで、平行平板の像面側に配置される正の屈折力を有する第３群８０２へ入射する光線の光線高さに変化が生じ、結像位置の変化が生じる。つまり、挿抜する素子の厚みｄが厚いほど、素子を構成する材料の屈折率が高いほど、素子への光線入射角が大きいほど、素子の挿抜による結像位置の変化量ΔＳＫは大きくなる。そこで本発明では、屈折率が１．５から２．０程度の材料で構成され、素子厚が１ｍｍから３０ｍｍ程度の素子を挿抜するときに、結像位置の変化がハイビジョン(ＨＤＴＶ)レベルの画質を満たすように光学系を工夫している。
【００１６】
具体的には、本発明においてはアダプタ光学系の第２群へ入射する軸上光線の入射換算傾角をαａ２とするとき条件式(１)を満たすように構成されている。
０．０３＜｜αａ２｜＜０．５０・・・(１)
【００１７】
条件式(１)の上限が満たされないと、第２群を構成する光学性能変換素子の厚みによって変化する結像位置の変化量が大きくなり、素子の挿抜により結像位置が撮像面に対して変化するため好ましくない。逆に下限が満たされないと、撮像素子で反射した光が第３群を通過し、第２群で反射することで発生するゴースト光が撮像素子上で集光し、強度が強くなってしまう。ここで、第２群へ入射する軸上光線の入射傾角とは、アダプタ光学系の最終面（最も像面側の面）から射出する近軸軸上光線の傾角を１として、第２群へ入射する近軸軸上光線の傾角を規格化した傾角（入射換算傾角）のことである。
【００１８】
本発明のアダプタ光学系は、物体側から順に負の屈折力を有する第１群、挿抜可能な光学素子から成る第２群、正の屈折力を有する第３群から成り、第１群のパワーをφａ１、第３群のパワーをφａ３とするとき条件式(２)を満たすことが望ましい。
１．０５＜｜φａ１／φａ３｜＜１．３５・・・(２)
【００１９】
条件式(２)の上限が満たされないと、負レンズのパワーが強くなりすぎるため第３群に入射する軸外光線の光線高さが高くなり、第３群のレンズ径が大きくなる結果、アダプタ光学系として大型化してしまう。逆に、下限が満たされないと、必要なバックフォーカスの確保が困難となる。
【００２０】
又、本発明のアダプタ光学系の全系での結像倍率をβａとするとき、βａは条件式(３)を満たすことが好ましい。
１．０５＜βａ＜１．５０・・・(３)
【００２１】
条件式(３)の上限が満たされないと、撮像レンズにアダプタ光学系を取り付けたときの焦点距離が大きく長焦点化してしまい、望遠端で球面収差や像面湾曲といった諸収差が増大し、画質の劣化を招いてしまう。逆に下限が満たされないと、バックフォーカスを維持したときに射出瞳が短くなってしまい、カメラ光学系に色分解光学系を含む場合、ダイクロイック膜の角度特性によりホワイトシェーディングが発生する。また、色分解光学系を含まない単板方式の撮像装置においても、撮像素子上のマイクロレンズと受光部の関係で周辺光量が落ちてしまう。
【００２２】
更に、本発明のアダプタ光学系の第２群を構成する光学素子は屈折力を付加しても良い。光学素子に屈折力を付加することで、光学素子の挿抜によりオーバー側にシフトする結像位置の変化をキャンセルし、挿抜による結像位置の変化を補正し、画質の劣化を更に抑制することができる。光学素子のパワー（第２群のパワー）をφａ２とするとき、条件式(４)を満たすことが好ましい。
｜φａ１／φａ２｜＞１００・・・(４)
【００２３】
条件式(４)が満たされないと、光学素子のパワーが強くなりすぎるため、光学素子への曲率を付加したことにより発生する収差への影響が大きくなり、光学素子の挿抜により画質が変化してしまう。
【００２４】
又、本発明のアダプタ光学系は撮像レンズと、カメラ装置の間に着脱自在に取り付けられ、装着する撮像レンズやカメラ装置と情報のやり取りを行うことが好ましい。撮像レンズから焦点距離情報、フォーカス情報、絞り情報、射出瞳情報等、撮影条件について規定した撮影条件情報を受け取ることで、撮影するシーンに応じて光学性能を変換することを可能にする。例えば、光学素子に液晶などで構成する透過率可変素子を用いる場合、絞りの情報に応じて一定の明るさを保つように可変透過率素子を駆動することができる。
【００２５】
本発明のアダプタ光学系は、光路中で挿抜可能な光学素子を含み、該光学素子へ入射する軸上光線の入射傾角を所定の範囲内に構成することで素子の挿抜による結像位置の変化を抑制し、且つ、コンパクトな構成を可能にしている。
【実施例１】
【００２６】
図２は、実施例１のアダプタ光学系を含む撮像光学系の光学断面図である。
【００２７】
撮像レンズとしてのズームレンズ２０１とカメラ光学系２０６の間に、光路中へ着脱可能なアダプタ光学系２０２が装着される。アダプタ光学系２０２は物体側から順に、負の屈折力を有する第１群２０４、光路中に挿抜可能な光学素子（第２群）２０３、正の屈折力を有する第３群２０５から構成される。カメラ光学系２０６は色分解光学系やＩＲカットフィルタ、ローパスフィルタといった光学特性変換フィルタで構成される。ここで、本実施例における第２群へ入射する軸上光線の入射傾角（入射換算傾角）は０．０５である。本実施例の光学素子２０３は、屈折率１．６の材料で構成され、その厚みは２ｍｍであるが、光学素子２０３の挿抜による結像位置の変化は２ミクロンである。本実施例では、撮像面のイメージサークルは直径１１ｍｍであり、２／３インチ相当の撮像素子のカメラに撮像光学系が取り付けられていることになる。
【００２８】
ここで、ハイビジョンテレビ(ＨＤＴＶ)の１画素分のボケが許容されるとした場合、撮像素子の画素ピッチは約５ミクロンであり、ズームレンズ２０１の開放Ｆ値が１．８５のため、焦点深度は最も浅くて１８．５ミクロンとなる。そのため、光学素子２０３の挿抜により生じる結像位置の変化量は、焦点深度よりも十分小さく光学素子２０３の挿抜による結像位置の変化量は使用上問題とならないことがわかる。なお、本実施例のアダプタ光学系は表１に示すように、各条件式(１)〜(４)を満たしている。
【００２９】
図３は、ズームレンズ２０１の広角端における無限遠での縦収差図である。図４（Ａ）は、ズームレンズ２０１にアダプタ光学系２０２を装着し、光学素子２０３が光路中に挿入された状態の広角端における無限遠での縦収差図である。図４（Ｂ）は、ズームレンズ２０１にアダプタ光学系２０２を装着し、光学素子２０３が光路中から抜去された状態の広角端における無限遠での縦収差図である。図３から図４（Ｂ）より、ズームレンズ２０１にアダプタ光学系２０２を装着したときの収差変動は十分小さく抑えられ、光学素子２０３の挿抜による収差変動もほぼ見られないことがわかる。
【実施例２】
【００３０】
図５は実施例２のアダプタ光学系を含む撮像光学系の光学断面図である。本実施例は実施例１と類似の構成で、光学素子（第２群）５０３へ入射する軸上光線の入射傾角（入射換算傾角）が−０．２３であり、更に光学素子５０３の物体側面５０７に正の屈折力を与えるように曲率が付加されていることを特徴とする。図６（Ａ）は撮像レンズとしてのズームレンズ５０１にアダプタ光学系５０２を装着し、光学素子５０３が光路中に挿入された状態の広角端における無限遠での縦収差図である。図６（Ｂ）は、ズームレンズ５０１にアダプタ光学系５０２を装着し、光学素子５０３が光路中から抜去された状態の広角端における無限遠での縦収差図である。図７には、光学素子に正の屈折力を付加しない場合の素子挿入時の収差図を示している。図７より、光学素子へ入射する軸上光線の入射傾角（入射換算傾角）が−０．２３と比較的大きいことで、曲率を付加しない場合には光学素子の挿抜により結像位置が３９ミクロン変動する。これは、ＨＤＴＶ水準の焦点深度に対しては大きい値である。しかしながら、本実施例では光学素子に曲率を付加し、屈折力を持たせたことで結像位置の変化は０ミクロンに補正されている。なお、本実施例のアダプタ光学系は表１に示すように、各条件式(１)〜(４)を満たしており、素子の挿抜による画質劣化を抑制し、且つ、コンパクトな構成を実現している。
【００３１】
なお、実施例２では屈折力を付加することで光学素子の挿抜による結像位置の変化を０ミクロンまで補正しているが、屈折力を付加することで発生する収差を考慮して敢えて結像位置のずれを残存させても問題ない。結像位置の変化をキャンセルするために、光学素子には正の屈折力が付加されるが、この影響でアンダーの球面収差が発生する。そのため、ベストフォーカス位置はアンダー側にシフトする。この球面収差によるベストフォーカス位置のアンダー側へのシフトを考慮し、光学素子に与える屈折力を予め弱くすることで、撮像面とベストフォーカス位置を一致させる。なお、ここでいうベストフォーカス位置とは、軸上光束のスポットダイアグラムにおけるスポット径の平均二乗偏差（ＲＭＳ）が最少になる位置のことである。
【００３２】
又、本明細中では挿抜する光学素子に曲率を付与する面を物体側の面としているが、像側に付与することでゴーストを回避し易い構成としても、同様の効果を得ることができる。
【００３３】
以下、実施例１に対応する数値実施例１、及び、実施例２に対応する数値実施例２を示す。以下の数値実施例において、物体側からの面番号ｉに対し、曲率半径ｒ、面ｉと面ｉ＋１の間の厚さ、面ｉと面ｉ＋１の間の媒体の屈折率ｎｄ、面ｉと面ｉ＋１の間の媒体のアッべ数νｄ、を示す。
【００３４】
(数値実施例１)
単位 mm
面データ
面番号       r        d      nd         vd       有効径
1        600.261    2.20   1.75520    27.5       72.83
2         81.461   11.42   1.49700    81.6       69.52
3       -290.956    7.63                         69.08
4         86.701    7.86   1.62041    60.3       65.46
5       3044.710    0.15                         64.99
6         66.016    6.01   1.72916    54.7       61.52
7        145.708  (可変)                         60.42
8        111.445    0.80   1.88300    40.8       23.69
9         16.812    4.65                         20.03
10        -47.842    0.70   1.81600    46.6       19.80
11         33.779    2.24                         19.27
12         28.944    5.20   1.80518    25.4       19.72
13        -29.192    0.54                         19.31
14        -24.664    0.70   1.78800    47.4       18.93
15        132.572  (可変)                         18.45
16        -28.806    0.75   1.74320    49.3       20.25
17         37.218    3.81   1.84666    23.9       22.24
18        449.023  (可変)                         23.13
19(絞り)    ∞       1.80                         27.20
20       -231.233    3.33   1.67003    47.2       28.33
21        -49.133    0.20                         29.14
22       -170.365    4.05   1.51742    52.4       29.94
23        -38.625    0.20                         30.51
24         36.315   10.16   1.48749    70.2       31.27
25        -35.564    1.66   1.83400    37.2       30.52
26          ∞      36.00                         30.51
27         97.385    6.35   1.50137    56.4       30.32
28        -44.438    0.20                         30.04
29       -535.653    1.40   1.83400    37.2       28.54
30         21.016    7.22   1.50137    56.4       26.76
31       -424.093    1.50                         26.79
32         38.505    8.29   1.51823    58.9       26.75
33        -27.482    1.40   1.77250    49.6       26.50
34         91.360    0.30                         26.93
35         38.429    6.84   1.53172    48.8       27.63
36        -52.407    2.00                         27.55
(アダプタ光学系装着時：光学素子挿入時)
37        171.164    1.70   1.75500    52.3       28.19
38         26.675    5.00                         26.64
39       -101.017    1.70   1.59201    67.0       26.80
40         43.676    6.28   1.84666    23.8       28.18
41      -1516.165    1.07                         28.72
42          ∞       2.00   1.51633    64.1       29.00
43          ∞       1.51                         29.32
44         59.393    6.48   1.49700    81.5       30.17
45        -56.660    2.50   1.84666    23.8       30.13
46        328.114    2.81                         30.58
47         50.383    5.00   1.69680    55.5       31.86
48       -100.474    5.00                         31.72
49          ∞      30.00   1.60342    38.0       36.00
50          ∞      16.20   1.51633    64.2       36.00
51          ∞     (可変)                         36.00
像面        ∞   
(アダプタ光学系装着時：光学素子抜去時)
37        171.164    1.70   1.75500    52.3       28.20
38         26.675    5.00                         26.65
39       -101.017    1.70   1.59201    67.0       26.81
40         43.676    6.28   1.84666    23.8       28.19
41      -1516.165    1.07                         28.73
42          ∞       2.00                         29.01
43          ∞       1.51                         29.50
44         59.393    6.48   1.49700    81.5       30.35
45        -56.660    2.50   1.84666    23.8       30.31
46        328.114    2.81                         30.76
47         50.383    5.00   1.69680    55.5       32.05
48       -100.474    5.00                         31.91
49          ∞      30.00   1.60342    38.0       36.00
50          ∞      16.20   1.51633    64.2       36.00
51          ∞     (可変)                         36.00
像面        ∞   
【００３５】
各種データ
(アダプタ光学系未装着時)
焦点距離       9.50    15.20    38.86    91.49   185.25  
Fナンバー      1.85     1.85     1.85     1.85     2.85  
画角          30.07    19.89     8.06     3.44     1.70  
像高           5.50     5.50     5.50     5.50     5.50  
BF            10.01    10.01    10.01    10.01    10.01  
射出瞳位置   241.82   241.82   241.82   241.82   241.82  
(アダプタ光学系装着時：光学素子挿入時)
焦点距離      11.26    18.02    46.07   108.48   219.66  
Fナンバー      2.19     2.19     2.19     2.19     3.38  
画角          26.02    16.97     6.81     2.90     1.43  
像高           5.50     5.50     5.50     5.50     5.50  
BF            10.01    10.01    10.01    10.01    10.01  
射出瞳位置   126.87   126.87   126.87   126.87   126.87  
(アダプタ光学系装着時：光学素子抜去時)
焦点距離      11.27    18.04    46.10   108.56   219.82  
Fナンバー      2.20     2.19     2.19     2.19     3.38  
画角          26.01    16.96     6.80     2.90     1.43  
像高           5.50     5.50     5.50     5.50     5.50  
レンズ全長   304.34   304.34   304.34   304.34   304.34  
BF            10.008   10.008   10.008   10.008   10.008  
射出瞳位置   126.87   126.87   126.87   126.87   126.87  
(各状態共通)
ズーム比     19.50 
d 7            0.65    15.69    35.96    46.91    52.03  
d15           53.75    36.74    13.38     3.88     6.32  
d18            5.10     7.07    10.15     8.71     1.15  
【００３６】
(数値実施例２)
単位 mm
面データ
面番号       r        d      nd         vd       有効径
1        600.261    2.20   1.75520    27.5       72.83
2         81.461   11.42   1.49700    81.6       69.52
3       -290.956    7.63                         69.08
4         86.701    7.86   1.62041    60.3       65.46
5       3044.710    0.15                         64.99
6         66.016    6.01   1.72916    54.7       61.52
7        145.708  (可変)                         60.42
8        111.445    0.80   1.88300    40.8       23.69
9         16.812    4.65                         20.03
10        -47.842    0.70   1.81600    46.6       19.80
11         33.779    2.24                         19.27
12         28.944    5.20   1.80518    25.4       19.72
13        -29.192    0.54                         19.31
14        -24.664    0.70   1.78800    47.4       18.93
15        132.572  (可変)                         18.45
16        -28.806    0.75   1.74320    49.3       20.25
17         37.218    3.81   1.84666    23.9       22.24
18        449.023  (可変)                         23.13
19(絞り)    ∞       1.80                         27.20
20       -231.233    3.33   1.67003    47.2       28.33
21        -49.133    0.20                         29.14
22       -170.365    4.05   1.51742    52.4       29.94
23        -38.625    0.20                         30.51
24         36.315   10.16   1.48749    70.2       31.27
25        -35.564    1.66   1.83400    37.2       30.52
26          ∞      36.00                         30.51
27         97.385    6.35   1.50137    56.4       30.32
28        -44.438    0.20                         30.04
29       -535.653    1.40   1.83400    37.2       28.54
30         21.016    7.22   1.50137    56.4       26.76
31       -424.093    1.50                         26.79
32         38.505    8.29   1.51823    58.9       26.75
33        -27.482    1.40   1.77250    49.6       26.50
34         91.360    0.30                         26.93
35         38.429    6.84   1.53172    48.8       27.63
36        -52.407    2.00                         27.55
(アダプタ光学系装着時：光学素子挿入時)
37        279.995    1.70   1.74100    52.6       27.57
38         26.131    4.70                         26.18
39        -94.697    1.70   1.61800    63.3       26.28
40         48.432    5.80   1.80809    22.8       27.86
41        908.515    1.12                         28.75
42      33586.927    2.00   1.51633    64.1       29.20
43          ∞       0.87                         29.79
44         49.781    7.19   1.59201    67.0       31.33
45        -60.950    2.50   1.80809    22.8       31.38
46       2211.863    2.75                         31.76
47         60.146    4.99   1.69680    55.5       32.56
48       -104.500    5.00                         32.35
49          ∞      30.00   1.60342    38.0       36.00
50          ∞      16.20   1.51633    64.2       36.00
51          ∞     (可変)                         36.00
像面        ∞   
(アダプタ光学系装着時：光学素子抜去時)
37        279.995    1.70   1.74100    52.6       27.57
38         26.131    4.70                         26.18
39        -94.697    1.70   1.61800    63.3       26.28
40         48.432    5.80   1.80809    22.8       27.86
41        908.515    1.12                         28.75
42          ∞       2.00                         29.20
43          ∞       0.87                         29.79
44         49.781    7.19   1.59201    67.0       31.33
45        -60.950    2.50   1.80809    22.8       31.38
46       2211.863    2.75                         31.76
47         60.146    4.99   1.69680    55.5       32.56
48       -104.500    5.00                         32.35
49          ∞      30.00   1.60342    38.0       36.00
50          ∞      16.20   1.51633    64.2       36.00
51          ∞     (可変)                         36.00
像面        ∞   
(アダプタ光学系未装着時)
焦点距離       9.50    15.20    38.86    91.49   185.25  
Fナンバー      1.85     1.85     1.85     1.85     2.85  
画角          30.07    19.89     8.06     3.44     1.70  
像高           5.50     5.50     5.50     5.50     5.50  
BF            10.01    10.01    10.01    10.01    10.01  
射出瞳位置   241.82   241.82   241.82   241.82   241.82  
(アダプタ光学系装着時：光学素子挿入時)
焦点距離      10.73    17.17    43.90   103.36   209.29  
Fナンバー      2.09     2.09     2.09     2.09     3.22  
画角          27.13    17.76     7.14     3.05     1.51  
像高           5.50     5.50     5.50     5.50     5.50  
BF            10.01    10.01    10.01    10.01    10.01  
射出瞳位置   105.32   105.32   105.32   105.32   105.32  
(アダプタ光学系装着時：光学素子抜去時)
焦点距離      10.70    17.12    43.76   103.02   208.61  
Fナンバー      2.08     2.08     2.08     2.08     3.21  
画角          27.21    17.81     7.16     3.06     1.51  
像高           5.50     5.50     5.50     5.50     5.50  
BF            10.01    10.01    10.01    10.01    10.01  
射出瞳位置   101.23   101.23   101.23   101.23   101.23  
(各状態共通)
ズーム比     19.50 
d 7            0.65    15.69    35.96    46.91    52.03  
d15           53.75    36.74    13.38     3.88     6.32  
d18            5.10     7.07    10.15     8.71     1.15  
【００３７】
【表１】
0005725972.tif 000002
上記の実施例１、２はアダプタ光学系について記載したが、本願発明はアダプタ光学系に限定されるものではなく、本願発明は撮像レンズシステムや、撮像装置にも適用可能である。具体的には、本願発明の撮像レンズシステムは、前述の実施例１、２に記載したアダプタ光学系と、このアダプタ光学系よりも被写体側（前側）に配置された撮像レンズ（ズームレンズ等）を含む撮影レンズシステムとを有する構成とすれば良い。更に、本願発明の撮像装置は、実施例１、２に記載したアダプタ光学系と、このアダプタ光学系よりも被写体側に配置された撮像レンズと、アダプタ光学系よりも撮像素子側に配置されたカメラ光学系（色分解プリズムなど）を有する構成とすれば良い。別の言い方をすれば、本願発明の撮像装置は、撮像素子（及び色分解プリズム）を含むカメラ本体と、撮像レンズと、この両者の間に配置された実施例１、２に記載のアダプタ光学系と、を有する構成と表現しても良い。
【符号の説明】
【００３８】
１０１  撮像レンズ
１０２  第１群
１０３  第２群（挿抜可能な光学素子)
１０４  第３群
１０５  アダプタ光学系
【図１】
0005725972.tif 000003
【図２】
0005725972.tif 000004
【図３】
0005725972.tif 000005
【図４】
0005725972.tif 000006
【図５】
0005725972.tif 000007
【図６】
0005725972.tif 000008
【図７】
0005725972.tif 000009
【図８】
0005725972.tif 000010
【図９】
0005725972.tif 000011